(57)【特許請求の範囲】
【請求項１】
外耳道を密閉することなく装用される既製耳あな型補聴器であって、ケース本体と、このケース本体と略Ｌ字形状を形成する挿入部と、この挿入部の先端に取り付ける先端導音掛着部からなり、前記ケース本体の一部が耳甲介腔内に当接して収まると共に、前記先端導音掛着部が外耳道の第一カーブの突出部分に掛着されることを特徴とする既製耳あな型補聴器。
【請求項２】
請求項１に記載の既製耳あな型補聴器において、前記先端導音掛着部は、前記挿入部に対して取付角度及び／又は取付深さが可変であることを特徴とする既製耳あな型補聴器。
【請求項３】
請求項１又は２に記載の既製耳あな型補聴器において、マイクロホンの集音部が前記ケース本体の側面に設けられていることを特徴とする既製耳あな型補聴器。
【請求項４】
請求項１乃至請求項３のいずれかに記載の既製耳あな型補聴器において、前記ケース本体の表面に取換自在なカバーが取り付けられていることを特徴とする既製耳あな型補聴器。
【発明の詳細な説明】
【技術分野】
【０００１】
本発明は、外耳道を密閉することなく装用することができる既製耳あな型補聴器に関する。
【背景技術】
【０００２】
既製耳あな型補聴器は、装用者の耳型からケース本体を製作するオーダーメード耳あな型補聴器とは異なり、特定の形状でケース本体などを製作する耳あな型補聴器である。この既製耳あな型補聴器は、ケース本体とそのケース本体から外耳道に挿入する挿入部が設けられており、挿入部の先端には傘部を有した耳栓が取付けられている。装用時には、既製耳あな型補聴器自体を、この耳栓で保持することになり、耳栓の傘部と外耳道の内壁とは、全周にわたって接触することになる。このため、圧迫感や違和感などが生じる。また、外耳道内は密閉されるので、こもり感もある。
【０００３】
耳栓の中には、耳かけ型補聴器で使用しているように、耳栓の傘部に開口を設けたオープンタイプのものがあり、外耳道内を密閉しないで、こもり感、圧迫感や違和感などを大幅に軽減したものがある。しかし、オープンタイプの耳栓は、耳栓の傘部に開口を設けるので柔らかく、使用者の動きなどにより、既製耳あな型補聴器が振られて保持しきれない。
【０００４】
また、特許文献１に記載のように、補聴器本体の音声出力孔の側に、耳穴に装着する耳穴装着部を有する補聴器であって、この耳穴装着部の基端部の周縁に取り付けた、伸縮性及び柔軟性のあるリング状クッションと、このリング状クッションの一端を固定するように、前記耳穴装着部の先端部の周縁に取り付けた、伸縮性及び柔軟性のあるイヤチップとを有するものが知られている。
【先行技術文献】
【特許文献】
【０００５】
【特許文献１】特開平１０−９８７９７号公報
【発明の概要】
【発明が解決しようとする課題】
【０００６】
しかし、特許文献１に記載の補聴器においては、伸縮性及び柔軟性の部材を用いたリング状クッションを設け、外耳道の内壁の全周にわたり密着性がよいので、こもり感、圧迫感や違和感などがあると共に、装着時間が長くなると、痛みやかゆいなどを感じることが推測される。
【０００７】
本発明は、従来の技術が有するこのような問題点に鑑みてなされたものであり、その目的とするところは、外耳道を密閉することなく、装着時のこもり感をなくし、圧迫感や違和感などを低減する既製耳あな型補聴器を提供しようとするものである。
【課題を解決するための手段】
【０００８】
上記課題を解決すべく請求項１に係る発明は、外耳道を密閉することなく装用される既製耳あな型補聴器であって、ケース本体と、このケース本体と略Ｌ字形状を形成する挿入部と、この挿入部の先端に取り付ける先端導音掛着部からなり、前記ケース本体の一部が耳甲介腔内に当接して収まると共に、前記先端導音掛着部が外耳道の第一カーブの突出部分に掛着されるものである。
【０００９】
また、前記先端導音掛着部は、前記挿入部に対して取付角度及び／又は取付深さを可変にすることができる。また、マイクロホンの集音部を前記ケース本体の側面に設けるとよい。更に、前記ケース本体の表面に取換自在なカバーを取り付けることができる。
【発明の効果】
【００１０】
本発明によれば、外耳道を密閉することなく装用でき、外耳道内壁にケース本体が全周にわたって接触することがなく、外耳道内で密着する部分が少ないため、長時間使用しても、装用感がよい。
【００１１】
また、マイクロホンの集音部をケース本体の側面に設ければ、風切り音の影響が少なく、完全に外耳道に挿入するＣＩＣ（Completely In the Canal）タイプの補聴器と同程度の耳介による集音効果を得ることができる。また、ＣＩＣタイプの補聴器に比べ、ケース本体を大きく作れるので、高機能のＤＳＰやワイヤレス通信コイルなどを搭載することができる。
【００１２】
また、ケース本体の表面には、マイクロホンの集音部や電池収納部などが設けられていないので、装用者の服装に合わせたデザインや色彩のカバーを取り付けることができ、ファッション性に優れている。
【図面の簡単な説明】
【００１３】
【図１】本発明に係る既製耳あな型補聴器の説明図で、（ａ）は先端導音掛着部を分離した斜視図、（ｂ）は側面図、（ｃ）は平面図
【図２】装用時における右耳の概要外観図
【図３】装用時における右耳付近の略水平断面図
【図４】挿入部に対する先端導音掛着部の取付角度を示す平面図で、（ａ）は取付角度が０°の場合、（ｂ）は取付角度がα１の場合
【図５】カバーを取り付けた既製耳あな型補聴器の説明図で、（ａ）は分解斜視図、（ｂ）は側面図
【図６】本発明に係る既製耳あな型補聴器の別実施の形態を表わす図で、（ａ）は正面図、（ｂ）は背面図、（ｃ）は左側面図、（ｄ）は右側面図、（ｅ）は平面図、（ｆ）は底面図、（ｇ）は斜視図、（ｈ）は電池収納部が開状態の斜視図
【発明を実施するための形態】
【００１４】
以下に本発明の実施の形態を添付図面に基づいて説明する。本発明に係る既製耳あな型補聴器１は、図１に示すように、ケース本体２と、挿入部３と、先端導音掛着部４からなる。ケース本体２と挿入部３と先端導音掛着部４は、一体で形成することもできる。
【００１５】
ケース本体２は、耳甲介腔に収まる形状で略楕円形状に形成されている。ケース本体２の内部には、補聴処理部としてのＤＳＰ（Digital Signal Processor）、マイクロホン、電池などが設置される。ケース本体２の側面２ｂには、マイクロホンの集音部６、電池収納部７が設けられている。なお、ケース本体２は略楕円形状に限定されるものではない。
【００１６】
また、ケース本体２は、図２に示すように、耳介１０の耳甲介腔１１内に収まり、ケース本体２の厚みは、ケース本体２の表面２ａが耳介１０の対珠１２や耳珠１３の内側に接する程度に形成されている。
【００１７】
挿入部３は、図１に示すように、ケース本体２の裏面２ｃで、長手方向のセンタラインＬ１の一端に、ケース本体２と略Ｌ字形状をなすように形成されている。この挿入部３の内部には、イヤホンを設置するとよい。挿入部３の外観形状は、円筒形状でよいが、ここではケース本体２側が太く、先端導音掛着部４側が細くなるように、なめらかな傾斜になるように形成している。なお、図１では、ケース本体２と挿入部３が一体に形成されているが、別体でもよい。
【００１８】
先端導音掛着部４は、外耳道の第一カーブと掛着するために、その先端は略半円形状をなしており挿入部３に取り付ける取付部のセンター軸に対して傾けて形成されている。また、略半円形状の頂点付近にはイヤホンから鼓膜側へ音を導く導音孔が形成されている。先端導音掛着部４の材質としては、ケース本体などに用いられるＡＢＳ樹脂を使用することもできるが、望ましくはシリコンゴムなどの弾性材を用いるとよい。
【００１９】
また、各装用者によって、外耳道１５の第一カーブ１６のサイズは異なるので、各装用者に合わせるために、図３に示すように、挿入部３の先端に先端導音掛着部４を挿入する際の先端導音掛着部４の挿入量（矢印Ａ方向の取付深さ）を調整することができるようにしている。
【００２０】
また、各装用者によって、外耳道１５の第一カーブ１６の曲がりが異なるので、各装用者に合わせるために、図４に示すように、挿入部３に対する先端導音掛着部４のセンタラインＬ１を基準とした取付角度αを調整することができるようになっている。図４（ａ）は取付角度αが０°の場合、図４（ｂ）は取付角度αがα１の場合である。
【００２１】
挿入部３に対する先端導音掛着部４の取付深さや取付角度αを調整することにより、各装用者の耳甲介腔１１の形状に対応して安定した装用状態を得ることができる。
【００２２】
そして、図３に示すように、外耳道１５は、直線ではなく、第一カーブ１６から第二カーブ１７、更に鼓膜方向へ三次元的に曲がっており、既製耳あな型補聴器１を装着すると、ケース本体２の裏面２ｃは耳甲介腔１１の壁面１１ａに当接し、ケース本体２の側面２ｂは耳珠１３の側壁１３ａに当接している。
【００２３】
また、挿入部３の先端に設けた先端導音掛着部４は、外耳道１５の第一カーブ１６の突出部分１６ａに掛着される。なお、先端導音掛着部４は、第一カーブ１６の突出部分１６ａに掛着するように、予め取付角度や取付深さを調整しておく。
【００２４】
既製耳あな型補聴器１は、耳甲介腔１１の側壁や壁面１１ａ、そして耳珠１３の側壁１３ａなどの一部に当接すると共に、先端導音掛着部４が外耳道１５の第一カーブ１６の突出部分１６ａに掛着されることにより、外耳道１５を密閉することなく装着されて保持される。
【００２５】
挿入部３及び先端導音掛着部４は、外耳道１５を密閉することがないサイズで外耳道１５の内壁との接触箇所が少ないので、この既製耳あな型補聴器１を装用しても、こもり感がなく、圧迫感や違和感なども低減され、長時間使用しても、装用感がよい。
【００２６】
また、図１に示すように、マイクロホンの集音部６は装着時に挿入部３の反対側になる位置に設けられる。また、装着時にマイクロホンの集音部６が塞がらないように３つの孔からなり、この３つの孔はケース本体内部で連通している。
【００２７】
マイクロホンの集音部６をケース本体２の側面２ｂに設けることにより、風切り音の影響が少なく、且つマイクロホンの集音部６は耳甲介腔内となるので、完全に外耳道に挿入するＣＩＣ（Completely In the Canal）タイプの耳あな型補聴器と同程度の耳介による集音効果を得ることができる。
【００２８】
また、マイクロホンの集音部６や電池収納部７などを、ケース本体２の表面２ａではなく側面２ｂに設けるので、図５に示すように、ケース本体２の表面２ａに、装用者の服装に合わせたデザインや色彩のカバー５を取換自在に取り付けることができる。そうすれば、ファッション性に優れた補聴器２０を構成することができる。
【００２９】
なお、図６は本発明に係る既製耳あな型補聴器の先端導音掛着部を外した別実施の形態を表わす図で、（ａ）は正面図、（ｂ）は背面図、（ｃ）は左側面図、（ｄ）は右側面図、（ｅ）は平面図、（ｆ）は底面図、（ｇ）は斜視図、（ｈ）は電池収納部が開状態の斜視図である。
【産業上の利用可能性】
【００３０】
本発明によれば、外耳道を密閉することなく装用でき、こもり感をなくし、圧迫感や違和感などを低減すると共に、長時間使用しても、装用感がよい既製耳あな型補聴器を提供することができる。
【符号の説明】
【００３１】
１，２０…既製耳あな型補聴器、２…ケース本体、２ａ…表面、２ｂ…側面、２ｃ…裏面、３…挿入部、４…先端導音掛着部、５…カバー、６…マイクロホンの集音部、７…電池収納部、１０…耳介、１１…耳甲介腔、１１ａ…壁面、１２…対珠、１３…耳珠、１３ａ…側壁、１５…外耳道、１６…第一カーブ、１６ａ…突出部分、１７…第二カーブ。
【図１】
0005715012.tif 000002
【図２】
0005715012.tif 000003
【図３】
0005715012.tif 000004
【図４】
0005715012.tif 000005
【図５】
0005715012.tif 000006
【図６】
0005715012.tif 000007